(57)【要約】【課題】減圧吸収性能や座屈強度を低下させることなく、持ち上げ易くする。【解決手段】パネル部１４は、中央パネル面１５と第１傾斜面１６と第２傾斜面１７とを備え、中央パネル面１５の上部外表面は、上方に向かうに従い漸次、胴部１３の径方向内方に向けた凹み量が大きくなり、その上端が第１傾斜面１６の内周縁上に位置された第３傾斜面１８とされ、第２傾斜面１７において、第３傾斜面１８の側縁１８ａに連なる部分は、上方に向かうに従い漸次、凹み量が小さくされるとともに、幅が狭くなる先鋭形状をなし、この第２傾斜面１７の上端１７ｂが第１傾斜面１６の内周縁上に位置され、第１傾斜面１６において、第２傾斜面１７の上端部１７ｃにこの胴部１３の周方向で連なる部分１６ａは、この第１傾斜面１６の外周縁に接し、かつ胴部１３の周方向に延びる接線に対して胴部１３の径方向内方に向けて傾斜している。【選択図】図３
2008184221.tif 000002
【特許請求の範囲】
【請求項１】
有底筒状の胴部においてこのボトルの中心軸線を径方向で挟んだ互いに対向する位置に、胴部の側面視で前記中心軸線方向に長い長方形状をなすパネル部が各別に形成された合成樹脂製のボトルであって、
前記パネル部は、中央パネル面と、この中央パネル面を全周にわたって囲繞し、かつ前記中央パネル面の外方からこの中央パネル面に向かうに従い漸次、胴部の径方向内方に向けた凹み量が大きくなる第１傾斜面と、前記中央パネル面の外周縁から前記第１傾斜面に向かうに従い漸次、胴部の径方向内方に向けた凹み量が大きくなる第２傾斜面と、を備え、
前記中央パネル面の前記中心軸線方向における上部外表面は、上方に向かうに従い漸次、胴部の径方向内方に向けた凹み量が大きくなり、その上端が前記第１傾斜面の内周縁上に位置した第３傾斜面とされ、
前記第２傾斜面において前記第３傾斜面の側縁に連なる前記中心軸線方向の上部は、上方に向かうに従い漸次、前記凹み量が小さくなり、かつ幅が狭くなる前記側面視で先鋭形状をなし、この第２傾斜面の上端が前記第１傾斜面の内周縁上に位置され、
前記第１傾斜面において、前記第２傾斜面の上端部にこの胴部の周方向で連なる部分は、この第１傾斜面の外周縁に接し、かつ胴部の周方向に延びる接線に対して胴部の径方向内方に向けて傾斜していることを特徴とするボトル。
【請求項２】
請求項１記載のボトルであって、
前記第１傾斜面と第２傾斜面との間に底面が設けられ、この底面において前記第２傾斜面の上部に連なる部分は、前記中心軸線方向の上方に向かうに従い漸次、幅が狭くなる前記側面視で先鋭形状をなし、
前記第２傾斜面の上端は、前記底面の上端よりも上方に位置されて前記第１傾斜面の内周縁上に位置され、
この第１傾斜面において、前記底面の上端にこの胴部の周方向で連なる部分が、前記接線に対して胴部の径方向内方に向けて傾斜していることを特徴とするボトル。
【請求項３】
請求項１または２に記載のボトルであって、
前記第１傾斜面において、前記第２傾斜面の上端部にこの胴部の周方向で連なる部分は、前記接線に対してこの胴部の径方向内方に向けて５°以上４５°以下傾斜していることを特徴とするボトル。
【発明の詳細な説明】
【技術分野】
【０００１】
本発明は、合成樹脂製のボトルに関するものである。
【背景技術】
【０００２】
この種のボトルとして、従来から、有底筒状の胴部においてこのボトルの中心軸線を径方向で挟んだ互いに対向する位置に、環状溝で区画された中央パネル面を有するパネル部が各別に形成された構成が知られている。
ところで、近年では、ボトルを持ち上げ易くするために、例えば下記特許文献１に示されるような、胴部においてパネル部の上方に、指先を挿入可能な凹部を形成する手段が提案されている。
【特許文献１】実用新案登録第２６０４８０７号公報
【発明の開示】
【発明が解決しようとする課題】
【０００３】
しかしながら、このボトルでは、前記凹部を形成するための胴部の外表面積を確保するために、胴部に占めるパネル部の占有面積を小さくしなければならず、持ち上げ易くなる反面、減圧吸収性能が低下するおそれがある。
【０００４】
本発明は、このような事情を考慮してなされたもので、減圧吸収性能を低下させることなく、持ち上げ易くすることができるボトルを提供することを目的とする。
【課題を解決するための手段】
【０００５】
上記課題を解決して、このような目的を達成するために、本発明のボトルは、有底筒状の胴部においてこのボトルの中心軸線を径方向で挟んだ互いに対向する位置に、胴部の側面視で前記中心軸線方向に長い長方形状をなすパネル部が各別に形成された合成樹脂製のボトルであって、前記パネル部は、中央パネル面と、この中央パネル面を全周にわたって囲繞し、かつ前記中央パネル面の外方からこの中央パネル面に向かうに従い漸次、胴部の径方向内方に向けた凹み量が大きくなる第１傾斜面と、前記中央パネル面の外周縁から前記第１傾斜面に向かうに従い漸次、胴部の径方向内方に向けた凹み量が大きくなる第２傾斜面と、を備え、前記中央パネル面の前記中心軸線方向における上部外表面は、上方に向かうに従い漸次、胴部の径方向内方に向けた凹み量が大きくなり、その上端が前記第１傾斜面の内周縁上に位置した第３傾斜面とされ、前記第２傾斜面において前記第３傾斜面の側縁に連なる前記中心軸線方向の上部は、上方に向かうに従い漸次、前記凹み量が小さくなり、かつ幅が狭くなる前記側面視で先鋭形状をなし、この第２傾斜面の上端が前記第１傾斜面の内周縁上に位置され、前記第１傾斜面において、前記第２傾斜面の上端部にこの胴部の周方向で連なる部分は、この第１傾斜面の外周縁に接し、かつ胴部の周方向に延びる接線に対して胴部の径方向内方に向けて傾斜していることを特徴とする。
この発明によれば、中央パネル面の上部外表面が前記第３傾斜面とされているので、この第３傾斜面に指先を配置した状態で、このボトルを持ち上げたときに、この指先を第３傾斜面の上端に連なる第１傾斜面に引っ掛けることが可能になり、持ち上げ易くすることができる。また、この第３傾斜面が中央パネル面の上部外表面で構成されているので、胴部に占めるパネル部の占有面積が、前記第３傾斜面を形成したことによって小さくなることはないため、減圧吸収性能が低下するのを防ぐことができる。
さらに、第１傾斜面において、前記第２傾斜面の上端部にこの胴部の周方向で連なる連設部分が、前記接線に対して胴部の径方向内方に向けて傾斜しているので、中央パネル面に前記第３傾斜面を形成したことにより前記連設部分を起点とした座屈が生じ易くなるのを防ぐことができる。
さらにまた、前記第２傾斜面が胴部の側面視で先鋭形状をなしてその上端が第１傾斜面の内周縁上に位置しているので、このボトルに圧縮方向の軸力が作用したときに、パネル部において前記連設部分を含む所定領域に応力が集中するのを抑えることが可能になり、この所定領域を起点として座屈が生じ易くなるのを防ぐことができる。
【０００６】
ここで、前記第１傾斜面と第２傾斜面との間に底面が設けられ、この底面において前記第２傾斜面の上部に連なる部分は、前記中心軸線方向の上方に向かうに従い漸次、幅が狭くなる前記側面視で先鋭形状をなし、前記第２傾斜面の上端は、前記底面の上端よりも上方に位置されて前記第１傾斜面の内周縁上に位置され、この第１傾斜面において、前記底面の上端にこの胴部の周方向で連なる部分が、前記接線に対して胴部の径方向内方に向けて傾斜してもよい。
また、前記第１傾斜面において、前記第２傾斜面の上端部にこの胴部の周方向で連なる部分は、前記接線に対してこの胴部の径方向内方に向けて５°以上４５°以下傾斜してもよい。
これらの場合、前述の作用効果が確実に奏功されることになる。
【発明の効果】
【０００７】
この発明に係るボトルによれば、減圧吸収性能や座屈強度を低下させることなく、持ち上げ易くすることができる。
【発明を実施するための最良の形態】
【０００８】
以下、図面を参照し、この発明の実施の形態について説明する。本実施形態に係るボトル１０は、図１に示されるように、口部１１、肩部１２および有底筒状の胴部１３を備え、これら１１〜１３が、それぞれの中心軸線を共通軸上に位置させられた状態で、この共通軸方向の上方から下方に向けてこの順に連設された概略構成とされている。なお、このボトル１０は、例えば二軸延伸ブロー成形によりポリエチレンテレフタレート等の合成樹脂で一体に形成されている。
ここで、本実施形態では、肩部１２および胴部１３は、横断面形状が多角形状とされており、前記共通軸はこの横断面がなす多角形の中心を通る直線となっている。以下、この共通軸を中心軸線Ｏという。
【０００９】
図示の例では、肩部１２および胴部１３の横断面視形状が四角形状となっている。このうち胴部１３は、前記中心軸線Ｏ回りに連設された４つの主壁部１３ａにより構成されている。そして、これらの主壁部１３ａのうち、前記中心軸線Ｏを径方向で挟んだ互いに対向する一対の主壁部１３ａにそれぞれ、胴部１３の側面視で前記中心軸線Ｏ方向に長い長方形状をなすパネル部１４が一つずつ形成されている。なお、本実施形態では、パネル部１４は、全ての主壁部１３ａに形成されている。
【００１０】
そして、本実施形態では、パネル部１４は、中央パネル面１５と、この中央パネル面１５を全周にわたって囲繞し、かつ胴部１３において中央パネル面１５の外方から中央パネル面１５に向かうに従い漸次、胴部１３の径方向内方に向けた凹み量が大きくなる第１傾斜面１６と、中央パネル面１５の外周縁から第１傾斜面１６に向かうに従い漸次、胴部１３の径方向内方に向けた凹み量が大きくなる第２傾斜面１７と、を備えている。
【００１１】
中央パネル面１５の前記中心軸線Ｏ方向における上部外表面は、図２に示されるように、上方に向かうに従い漸次、胴部１３の径方向内方に向けた凹み量が大きくなり、その上端が第１傾斜面１６の内周縁上に位置した第３傾斜面１８となっている。
すなわち、前述のような長方形状をなすパネル部１４を画成する４つの辺部分１４ａ、１４ｂ、１４ｃ、１４ｄのうち、前記中心軸線Ｏ方向の上端に位置し、かつ胴部１３の周方向に沿って延びる上辺部分１４ａには、第２傾斜面１７が設けられておらず、第１傾斜面１６および第３傾斜面１８の上端が配置されている。
【００１２】
そして、第２傾斜面１７は、パネル部１４を画成する４つの辺部分１４ａ〜１４ｄのうち、上辺部分１４ａを除いた下辺部分１４ｂおよび両側辺部分１４ｃ、１４ｄそれぞれの全長にわたって連続して延設されて、中央パネル面１５を、前記上辺部分１４ａを除いた全周にわたって囲繞するように形成されている。
この第２傾斜面１７において第３傾斜面１８の側縁１８ａに連なる前記中心軸線Ｏ方向の上部１７ａは、上方に向かうに従い漸次、前記凹み量が小さくなり、かつ幅が狭くなる前記側面視で先鋭形状をなし、この第２傾斜面１７の上端１７ｂが第１傾斜面１６の内周縁上に位置している。
【００１３】
さらに、本実施形態では、第１傾斜面１６と第２傾斜面１７との間に底面１９が設けられ、この底面１９において第２傾斜面１７の上部１７ａに連なる部分は、前記中心軸線Ｏ方向の上方に向かうに従い漸次、幅が狭くなる前記側面視で先鋭形状をなしている。なお、この底面１９も第２傾斜面１７と同様に、中央パネル面１５を、前記上辺部分１４ａを除いた全周にわたって囲繞するように形成されている。
また、底面１９の上端１９ａは、第２傾斜面１７の上端１７ｂよりも下方に位置されて、第１傾斜面１６と第２傾斜面１７の上部１７ａとの間で、胴部１３の周方向に挟まれている。
【００１４】
そして、本実施形態では、図３および図４に示されるように、第１傾斜面１６において、第２傾斜面１７の上端部１７ｃにこの胴部１３の周方向で連なる連設部分１６ａは、この第１傾斜面１６の外周縁に接し、かつ胴部１３の周方向に延びる接線Ｌに対して胴部１３の径方向内方に向けて傾斜している。なお、図示の例では、第２傾斜面１７の上端部１７ｃは、第２傾斜面１７において底面１９の上端１９ａとの接続部分から前記中心軸線Ｏ方向の上方に位置する部分とされ、底面１９を介さずに第１傾斜面１６に連なっている部分となっている。また、第１傾斜面１６の前記連設部分１６ａにおけるこの胴部１３の外表面に対する胴部１３の径方向内方に向けた傾斜角度θは、第１傾斜面１６において前記連設部分１６ａを除いた部分における前記傾斜角度よりも小さくなっている。
【００１５】
さらに、本実施形態では、第１傾斜面１６において、底面１９の上端１９ａにこの胴部１３の周方向で連なる部分の、前記接線Ｌに対する胴部１３の径方向内方に向けた傾斜角度θが、５°以上４５°以下、好ましくは１０°以上３０°以下となっている。
【００１６】
なお、パネル部１４の幅、つまり胴部１３の周方向における大きさは、主壁部１３ａの幅の約６０％とされ、パネル部１４の長さ、つまり前記中心軸線Ｏ方向における大きさは、主壁部１３ａの長さの約７０％となっている。また、第３傾斜面１８は、中央パネル面１５の上端から、中央パネル面１５の前記中心軸線Ｏ方向における全長の約３０％下方に離れた位置までとなっている。
【００１７】
以上説明したように本実施形態に係るボトル１０によれば、中央パネル面１５の上部外表面が第３傾斜面１８となっているので、この第３傾斜面１８に指先を配置した状態で、このボトル１０を持ち上げたときに、この指先を第３傾斜面１８の上端に連なる第１傾斜面１６に引っ掛けることが可能になり、持ち上げ易くすることができる。また、この第３傾斜面１８が中央パネル面１５の上部外表面で構成されているので、胴部１３に占めるパネル部１４の占有面積が、第３傾斜面１８を形成したことによって小さくなることはないため、減圧吸収性能が低下するのを防ぐことができる。
【００１８】
さらに、第１傾斜面１６において、第２傾斜面１７の上端部１７ｃにこの胴部１３の周方向で連なる連設部分１６ａが、前記接線Ｌに対して胴部１３の径方向内方に向けて傾斜しているので、中央パネル面１５に第３傾斜面１８を形成したことにより前記連設部分１６ａを起点とした座屈が生じ易くなるのを防ぐことができる。
さらにまた、第２傾斜面１７が胴部１３の側面視で先鋭形状をなしてその上端１７ｂが第１傾斜面１６の内周縁上に位置しているので、このボトル１０に圧縮方向の軸力が作用したときに、パネル部１４において前記連設部分１６ａを含む所定領域に応力が集中するのを抑えることが可能になり、この所定領域を起点として座屈が生じ易くなるのを防ぐことが可能になる。
【００１９】
なお、本発明の技術的範囲は前記実施の形態に限定されるものではなく、本発明の趣旨を逸脱しない範囲において種々の変更を加えることが可能である。
例えば、前記実施形態では、胴部１３として、前記中心軸線Ｏ回りに連設された４つの主壁部１３ａにより構成された横断面視四角形状の構成を示したが、これに代えて例えば、前記中心軸線Ｏ回りで隣接する主壁部１３ａ同士の間に、主壁部１３ａの周長よりも短い周長の隅角壁部を介在させてもよい。
また、前記実施形態では、４つの主壁部１３ａ全てにパネル部１４を形成したが、前記中心軸線Ｏをこの胴部１３の径方向で挟んで互いに対向する一対の主壁部１３ａにパネル部１４を形成してもよい。
【００２０】
次に、以上の作用効果についての検証試験を実施した。
前記実施形態のボトル１０において前記傾斜角度θを２°、１２．２°および３０°と異ならせた３種類のボトル１０を用意し、各ボトル１０の座屈荷重を測定した。その結果、前記傾斜角度θが２°のボトル１０の座屈荷重に対して、１２．２°のボトル１０の座屈荷重は１７．３％高くなり、３０°のボトル１０では座屈荷重が２３．７％高くなることが確認された。
【産業上の利用可能性】
【００２１】
減圧吸収性能や座屈強度を低下させることなく、持ち上げ易くすることができる。
【図面の簡単な説明】
【００２２】
【図１】本発明に係る一実施形態として示したボトルの側面図である。
【図２】図１に示すパネル部のＡ−Ａ線矢視断面図である。
【図３】図１に示すパネル部の一部拡大図である。
【図４】図１に示すパネル部のＢ−Ｂ線矢視断面図である。
【図５】図１に示すパネル部のＣ−Ｃ線矢視断面図である。
【符号の説明】
【００２３】
１０  ボトル
１１  口部
１２  肩部
１３  胴部
１４  パネル部
１５  中央パネル面
１６  第１傾斜面
１７  第２傾斜面
１７ａ  第２傾斜面の上部
１７ｂ  第２傾斜面の上端
１７ｃ  第２傾斜面の上端部
１８  第３傾斜面
１８ａ  第３傾斜面の側縁
１９  底面
１９ａ  底面の上端
Ｌ  接線
Ｏ  中心軸線
【図１】
2008184221.tif 000003
【図２】
2008184221.tif 000004
【図３】
2008184221.tif 000005
【図４】
2008184221.tif 000006
【図５】
2008184221.tif 000007